(57)【特許請求の範囲】
【請求項１】
開口部を有する枠体と、
前記枠体の開口部を覆うように設けられた原稿台ガラスと、
前記原稿台ガラスに載置された原稿を読み取る画像読取手段と、
前記原稿台ガラスを支持する原稿台ガラス受け部と、
前記枠体及び前記原稿台ガラス受け部に接着固定された緩衝部材とを有する画像読取装置において、
前記原稿台ガラス受け部は前記枠体から突出しており、前記原稿台ガラスを支持する面が平面であり、
前記緩衝部材が前記原稿台ガラスと接触する接触部分と、前記接触部分から少なくとも３方向に延設された前記原稿台ガラスと接触しない非接触部分とを有することを特徴とする画像読取装置。
【請求項２】
前記非接触部分の面積が前記接触部分の面積よりも大きいことを特徴とする請求項１記載の画像読取装置。
【請求項３】
前記原稿台ガラスを指示する平面は矩形であり、前記原稿台ガラスを指示する平面における複数の隅に前記緩衝部材が存在しない領域が存在し、該複数の隅の間には前記緩衝部材が存在することを特徴とする請求項１または２記載の画像読取装置。
【発明の詳細な説明】
【技術分野】
【０００１】
本発明は、原稿台ガラスを支持する原稿台ガラス受け部を有する画像読取装置に関する。
【背景技術】
【０００２】
従来の画像読取装置において、原稿載置部としての原稿台ガラスは、フレームの開口部を覆うように設けられ、フレームの開口部付近に設けられたフレーム基面より突出する複数のガラス受け部に載置される形で取り付けられている（特許文献１）。
【０００３】
また、図５に示すように、以下の（１）（２）を目的として、図６（ａ）に示されるように、ガラス受け部１５０´上にポリエステルフィルム等のシート状の部材からなる緩衝部材１５１´を貼り付けるものが従来から知られている。
（１）原稿台ガラス１０１´と画像読取ユニットとの位置（距離）の調整
画像読取ユニットが原稿台ガラス１０１´に対して一定の距離を保ってスキャン（走査）しないと、読み取られた画像が歪んでしまう。緩衝部材１５１´の厚さをかえることにより画像読取ユニットと原稿台ガラス１０１´との位置（距離）を調整する。
（２）ガラス保護
一般的に脆弱な原稿台ガラス１０１´が、板金（金属）などでできているフレーム１０２´と直に接触していると、外部から加わった衝撃などにより欠けてしまう可能性がある。緩衝部材１５１´を原稿台ガラス１０１´とガラス受け部１５０´との間に挟むことにより、原稿台ガラス１０１´がフレーム１０２´と直に接触しないようにする。
【先行技術文献】
【特許文献】
【０００４】
【特許文献１】特開平１１−１６０８１４号公報
【発明の概要】
【発明が解決しようとする課題】
【０００５】
しかしながら、特許文献１や図５に示される従来例の構成は、以下のような改善点がある。
【０００６】
特許文献１に記載の画像読取装置では、過度な力が原稿台ガラスに加わった場合、例えば原稿台ガラスの上に厚手の原稿を載置し、原稿押え手段（圧板や自動原稿送り装置）等で原稿台ガラスに押さえつけた際に、原稿台ガラスを支持しているガラス受け部に負荷が集中し、原稿台ガラスが欠けてしまう可能性があった。そして、原稿台ガラスの破損片が枠体（フレーム）内に落下し、スキャン動作に不具合を与える可能性があった。
【０００７】
図５に示した画像読取装置では、ポリエステルフィルム等のシート状の部材からなる緩衝部材１５１´を介して原稿台ガラス１０１´を受ける構成にしているため、ガラスが欠けてしまうといった不具合は起こらない。しかし、図５（ａ）に示すように、過度な力Ｆが原稿台ガラスに加わった場合に、図５（ｂ）に示すように、ガラス受け部１５０´及び緩衝部材１５１´には負荷が集中する。そして、その負荷によって、緩衝部材１５１´の両面テープや接着剤が潰され、図６（ｂ）に示されるように、緩衝部材１５１´の端部から両面テープや接着剤がはみ出してしまうことがあった。はみ出した両面テープや接着剤が、原稿台ガラス１０１´と緩衝部材１５１´との間に入り込んでしまい、緩衝部材１５１´が原稿台ガラス１０１´に貼りついてしまうことがあった。そして、原稿台ガラス１０１´を枠体（フレーム）１０２´から取り外した際に、緩衝部材１５１´が一緒に剥がれて枠体（フレーム）１０２´内に落下、紛失してしまう可能性があった。
【０００８】
本発明は、緩衝部材の端部からはみ出す接着剤の量を抑え、緩衝部材が枠体からはがれてしまうことを防止することを目的とする。
【課題を解決するための手段】
【０００９】
上記目的を達成するために、本発明の画像読取装置は、開口部を有する枠体と、前記枠体の開口部を覆うように設けられた原稿台ガラスと、前記原稿台ガラスに載置された原稿を読み取る画像読取手段と、前記原稿台ガラスを支持する原稿台ガラス受け部と、前記枠体及び前記原稿台ガラス受け部に接着固定された緩衝部材とを有する画像読取装置において、前記原稿台ガラス受け部は前記枠体から突出しており、前記原稿台ガラスを支持する面が平面であり、前記緩衝部材が前記原稿台ガラスと接触する接触部分と、前記接触部分から少なくとも３方向に延設された前記原稿台ガラスと接触しない非接触部分とを有することを特徴とする。
【発明の効果】
【００１０】
本発明によれば、緩衝部材の端部からはみ出す接着剤の量を抑え、緩衝部材が枠体からはがれてしまうことを防止することができる。
【図面の簡単な説明】
【００１１】
【図１】画像読取装置の概略構成を示した図である。
【図２】原稿台ガラス受け部の構成を示した図である。
【図３】原稿台ガラス受け部に接着固定された緩衝部材を説明する図である。
【図４】緩衝部材の構成を示した図である。
【図５】従来例の原稿台ガラス受け部の構成を示した図である。
【図６】従来例の原稿台ガラス受け部に接着固定された緩衝部材を説明する図である。
【発明を実施するための形態】
【００１２】
（実施例）
図１を用いて画像読取装置の概略構成について説明する。原稿台ガラス１０１（透明部材）は原稿が載置される原稿台またはプラテンである。原稿台ガラス１０１は透光性を有しており、すなわち透明である。枠体１０２は原稿台ガラス１０１を支持する支持部材である。走査ユニット１０３は、原稿の画像を読み取るための照明系、光学系などを有している。ベルト１０４は走査ユニット１０３を副走査方向に移動させる。プーリ１０５はモータ１０６からの駆動力をベルト１０４に伝達する。モータ１０６はプーリ１０５を回転させることで、ベルト１０４を回転させる。
【００１３】
走査ユニット１０３は、キャリッジ枠体１０７に照明ユニット１０８、反射ミラー１０９、１１０、１１１、レンズ１１２、ＣＣＤ１１３および電装基板１１４が取り付けられている。
照明ユニット１０８は原稿を照明する光源である。反射ミラー１０９、１１０、１１１は原稿で拡散された光をＣＣＤ１１３に導く光学部品である。レンズ１１２は反射ミラー１１１によって反射された光をＣＣＤ１１３に結像する。ＣＣＤ１１３は、受光した光を光電変換して画像信号を出力する光電変換素子である。本実施例におけるＣＣＤ１１３は、主走査方向に受光素子が配置されたラインセンサである。電装基板１１４はＣＣＤ１１３を駆動する駆動回路を備えた基板である。
【００１４】
原稿台ガラス１０１の原稿載置面上の端部には、シェーディング補正用の白基準となる白色基準部材が設けられている。白色基準部材は、シェーディング白板３０２と、シール部材３０３と、保護シート３０１とによって構成されている。
【００１５】
原稿の画像を読み取りが指示されると、走査ユニット１０３は、シェーディング白板３０２の直下に移動し、シェーディング白板３０２を読み取ってシェーディング補正用の補正係数を生成する。
【００１６】
画像読取装置は、不図示の原稿給送装置（ＡＤＦ）によって流し込まれた原稿の画像を読み取るための、流し読みガラス１１５を備えている。流し読みガラス１１５の直下に走査ユニット１０３は停止し、原稿自体が副走査方向に搬送される。流し読みガラス１１５を通過した原稿は、傾斜ガイド１１６によりすくい上げられ、原稿原稿給送装置の機内に案内される。
【００１７】
本実施例では、原稿読取位置においてＣＣＤの受光素子が配置された方向に対応する方向を主走査方向とする。そして、流し読みガラス１１５において原稿が搬送される方向、または、原稿台ガラス１０１上に載置された原稿を読み取る際に走査ユニット１０３が移動する方向を副走査方向とする。実質的には主走査方向は副走査方向に直交する。
【００１８】
次に、図２、図３および図４を用いて原稿台ガラス受け部の構成について説明する。
【００１９】
図２（ａ）に示すように、原稿台ガラス１０１は枠体（フレーム）１０２の開口部を覆うように設けられている。図２（ｂ）に示すように、枠体（フレーム）１０２の開口部近傍には、原稿台ガラス１０１を支持するためのガラス受け部（凸状受け部）１５０が、原稿台ガラス１０１の裏面側に向けて、原稿台ガラス１０１の４角の近傍を受けるように４箇所突出している。本実施例においてはガラス受け部１５０を４箇所としたが、原稿台ガラス１０１を安定して支持できれば良く、これに限るものではない。
【００２０】
原稿台ガラス１０１は一般的に脆弱である。原稿台ガラス１０１が板金（金属）などでできている枠体（フレーム）１０２で直に支持されていると、外部から衝撃などが加わった場合に欠けてしまう可能性がある。原稿台ガラス１０１が欠けることを防ぐために、本実施例では、図２（ｃ）に示すように、緩衝部材１５１がガラス受け部（凸状受け部）１５０に接着固定されている。緩衝部材１５１の材料はポリエステルフィルムやゴムなどといった衝撃を緩衝できる材料が使用されている。
【００２１】
次に、緩衝部材１５１の形状について説明する。
【００２２】
緩衝部材１５１は、図４に示すように、ポリエステルフィルムやゴムなどからなる層と両面テープや接着剤などからなる接着層からなる。緩衝部材１５１は、ガラス受け部１５０および枠体（フレーム）１０２に貼り付けられていて、接着層がガラス受け部１５０および枠体（フレーム）１０２側に、ポリエステルフィルム層が原稿台ガラス１０１の裏面に接触するようになっている。
【００２３】
緩衝部材１５１の形状は、図２（ｃ）および図３に示すように、Ｔ字形状をしている。ガラス受け部１５０は凸状受け部であり、枠体に比べて原稿台ガラス１０１の裏面側にむけて突出している。よって、緩衝部材１５１は、原稿台ガラス１０１と接触する部分（Ａ）（実線の斜線部）と、接触部分（Ａ）から３方向に延設された原稿台ガラス１０１と接触しない非接触部分（Ｂ〜Ｄ）（破線の斜線部）を有することになる。つまり、図３に示される緩衝部材１５１において、原稿ガラス１０１と接触する端部は緩衝部材が延設されていない１方向となり、原稿台ガラス１０１と接触する緩衝部材１５１の端部を減らすことができる。よって、原稿台ガラスに加えられた負荷によって緩衝部材１５１´の両面テープや接着剤が潰されたとしても、緩衝部材１５１の端部からはみ出し、原稿台ガラス１０１に付着する両面テープや接着剤の量を減らすことができる。本実施例では、ガラス受け部１５０が枠体（フレーム）の端部に設けられている。そのために、接触部分の１端部については緩衝部材１５１を延設することができない。
【００２４】
緩衝部材１５１は、背景技術のところでも説明した通り、原稿台ガラス保護の目的以外に原稿台ガラス１０１と走査ユニット１０３との位置（距離）を調整する役割も果たしている。理由は、走査ユニット１０３が原稿台ガラス１０１に対して一定の距離を保ってスキャン（走査）しないと、取得した画像が歪んでしまうためである。したがって、緩衝部材１５１をガラス受け部（凸状受け部）１５０に接着固定した際に、緩衝部材１５１にしわができて、原稿台ガラス１０１と画像読取手段（走査ユニット）１０３との位置（距離）がばらつくことを防ぐ必要がある。そこで、本実施例においては２つの隅部Ｘ、Ｙを設ける。ガラス受け部（凸状受け部）１５０において原稿台ガラスを支持する面は平面であり形状は矩形である。そして、隅部Ｘ、Ｙはこの平面上に配置されている。このようにすることにより、緩衝部材１５１をガラス受け部１５０に接着固定する際に、緩衝部材１５１にしわができることを防止している。
【００２５】
なお、本実施例では、この２つの隅部Ｘ、Ｙから両面テープや接着剤がはみ出し、原稿台ガラス１０１に付着する場合があるが、この２つの隅部Ｘ、Ｙからはみ出る量は従来構成に比べて少ない。また、緩衝部材が延設されていない接触部分の１端部についても枠体（フレーム）の端部に一致しているので、重力の影響を受けやすく、はみ出した接着剤が原稿台ガラスに付着しづらくなっている。これらのことから、本実施例によれば、従来にくらべて、緩衝部材１５１の剥がれる可能性を低くすることができる。
【００２６】
さらに、本実施例では、原稿台ガラス１０１と接触する部分（Ａ）の面積に対して、接触しない非接触部分（Ｂ〜Ｄ）の面積を大きい。よって、仮に２つの隅部Ｘ、Ｙから接着剤がはみ出し原稿台に付着したとしても、付着した接着剤によって緩衝部材１５１が原稿台ガラス１０１に粘着する力より、非接触部分（Ｂ〜Ｄ）が枠体（フレーム）に粘着する力の方が十分に大きい。よって、はみ出した接着剤による粘着力に負けて緩衝部材１５１が剥がれない。
【００２７】
実験によれば、原稿台ガラスと接触する接触部分（Ａ）から３方向に非接触部分（Ｂ〜Ｄ）を延設した構成であれば、接触する部分（Ａ）の面積と接触しない非接触部分（Ｂ〜Ｄ）の面積を同じにすることで、緩衝部材１５１の剥がれは発生しなくなった。したがって、本実施例では、接触する部分（Ａ）の面積に対して約３倍の非接触部分（Ｂ〜Ｄ）の面積を設けているが、これに限るものではなく、非接触部分（Ｂ〜Ｄ）の面積が接触する部分（Ａ）の面積がより大きければよい。
【００２８】
以上のように、本実施例によれば、緩衝部材１５１を、原稿台ガラス１０１と接触する接触部分（Ａ）と、接触部分（Ａ）から少なくとも３方向に延設された原稿台ガラス１０１と接触しない非接触部分（Ｂ〜Ｄ）を有する形状（構成）にし、原稿台ガラス１０１と接触する緩衝部材１５１の端部を減らしたため、両面テープや接着剤のはみ出しを抑えることができる。また、非接触部分（Ｂ〜Ｄ）の面積を接触部分（Ａ）の面積よりも大きくしたため、両面テープや接着剤がはみ出した場合であっても、緩衝部材１５１が原稿台ガラス１０１に貼りついて剥がれてしまうのを防止できる。
【００２９】
なお、本実施例では、ガラス受け部（凸状受け部）１５０を枠体（フレーム）の端部に設けたので、緩衝部材１５１におけるフレーム端部に一致した１方向については、緩衝部材を延設していない。ガラス受け部（凸状受け部）を枠体の内側に設け、緩衝部材１５１における４方向に対して緩衝部材を延設するようにしてもかまわない。
【符号の説明】
【００３０】
１０１  原稿台ガラス（透明部材）
１０２  枠体（フレーム）
１０３  走査ユニット
１５０  ガラス受け部
１５１  緩衝部材
【図１】
0006039245.tif 000002
【図２】
0006039245.tif 000003
【図３】
0006039245.tif 000004
【図４】
0006039245.tif 000005
【図５】
0006039245.tif 000006
【図６】
0006039245.tif 000007